(57)【要約】【課題】ケース内に引き込まれた電線の長さ寸法に誤差が生じている場合でも、前記電線に接続された端子をケースに取り付けられたボルトで確実に固定することができる電気接続箱を提供する。【解決手段】電気接続箱は、ケースと、該ケース内に引き込まれた電源線６ａをケースに固定するグロメットと、ケース内に引き込まれた電源線６ａの端末に接続されたＬＡ端子５と電気接続される接続ユニット１０と、を備えている。接続ユニット１０は、ＬＡ端子５が重ねられるバスバ８の接続部８２と、ナット１６が螺合されることにより該ナット１６との間にＬＡ端子５及び接続部８２を挟持するボルト９と、電源線６ａの長手方向に沿ってスライド自在となるようにボルト９を取り付けたボルト取付部材７と、を備えている。【選択図】図３
2011234427.tif 000002
【特許請求の範囲】
【請求項１】
ケースと、該ケース内に引き込まれた電線を前記ケースに固定する固定部材と、前記ケース内に引き込まれた前記電線の端末に接続された端子と電気接続される接続ユニットと、を備えた電気接続箱において、
前記接続ユニットが、前記端子が重ねられる金属板と、ナットが螺合されることにより該ナットとの間に前記端子及び前記金属板を挟持するボルトと、前記金属板の面に沿ってスライド自在となるように前記ボルトを取り付けたボルト取付部材と、を備えている
ことを特徴とする電気接続箱。
【請求項２】
前記ボルト取付部材が、前記電線の長手方向に沿ってスライド自在となるように前記ボルトを取り付けている
ことを特徴とする請求項１に記載の電気接続箱。
【請求項３】
前記ボルト取付部材が、
その表面に前記ボルトの頭部を位置付ける底板と、
前記底板と相対する天板であって、前記電線の長手方向に沿って延びたスリットが設けられ、該スリット内に前記ボルトの軸部をスライド自在に位置付けるとともに前記底板との間に前記頭部をスライド自在に収容する天板と、を備えている
ことを特徴とする請求項２に記載の電気接続箱。
【請求項４】
前記金属板が前記天板の外表面に重ねられ、かつ、
前記金属板に、前記軸部をスライド自在に位置付ける第２のスリットが設けられている
ことを特徴とする請求項３に記載の電気接続箱。
【請求項５】
前記スリットが、前記天板の一つの縁から前記電線の長手方向に沿って凹に形成されて設けられ、かつ、
前記ボルトが、前記天板の前記一つの縁側からスライドされることにより、前記軸部が前記スリット内に位置付けられるとともに前記頭部が前記底板と前記天板との間に収容されて、前記ボルト取付部材に取り付けられる
ことを特徴とする請求項３または請求項４に記載の電気接続箱。
【請求項６】
前記固定部材が、前記電線の外周に装着され、前記ケースに設けられた電線通し口に取り付けられるグロメットである
ことを特徴とする請求項１ないし請求項５のうち１項に記載の電気接続箱。
【発明の詳細な説明】
【技術分野】
【０００１】
本発明は、例えば、電源線の端末に接続されたＬＡ端子等の端子と電気接続される接続ユニットを備えた電気接続箱に関するものである。
【背景技術】
【０００２】
自動車には多種多様な電子機器が搭載されている。これら多種多様な電子機器に電力供給や信号伝送を行うために、前記自動車には、電気接続箱が配置されている。この電気接続箱は、様々な構成のものが用いられているが、例えば、電源線の端末に接続されたＬＡ端子と電気接続される接続ユニットを備えた電気接続箱が知られている（特許文献１を参照。）。また、図５は従来の電気接続箱を構成する接続ユニットを示す斜視図である。
【０００３】
図５に示すように、接続ユニット２１０は、電源線６ａの端末に接続されたＬＡ端子５が重ねられる接続部２８２と、ナット１６が螺合されることにより該ナット１６との間にＬＡ端子５及び接続部２８２を挟持するボルト２０９と、ボルト２０９を取り付けたボルト取付部材２０７と、を備えている。
【０００４】
上記電源線６ａは、自動車に搭載されたバッテリやオルタネータなどに接続され、大電流が流される太物の電線である。この電源線６ａは、芯線６１と、芯線６１を被覆した絶縁被覆６２と、を備えている。
【０００５】
上記ＬＡ端子５は、厚手の金属板にプレス加工等が施されて得られる端子であり、電源線６ａの芯線６１を圧着する一対の圧着片５３と、絶縁被覆６２をかしめる一対のかしめ片５４と、前記接続部２８２に重ねられて接続部２８２に電気接続される相手側接続部５１と、を備えている。この相手側接続部５１は、平らな板状に形成され、その中央部に貫通穴５２が設けられている。
【０００６】
上記接続部２８２は、バスバ２０８の端部を構成している。バスバ２０８は、金属板にプレス加工等が施されて得られる電気接続箱の配線部材である。このバスバ２０８は、電気接続箱に収容されるヒューズ、リレー、コネクタ、電源線６ａの端末に接続されたＬＡ端子５、同士を予め定められたパターンにしたがって互いに電気接続する。また、図５中の符号２８１は、バスバ２０８のうち、電気接続箱のケースの内部に収容される収容部を示している。
【０００７】
上記ボルト２０９は、頭部がボルト取付部材２０７に埋設され、軸部がボルト取付部材２０７の外表面から突出した格好で、ボルト取付部材２０７に取り付けられている。このボルト２０９は、接続部２８２に設けられた貫通穴２８３と、ＬＡ端子５に設けられた貫通穴５２とを通された軸部にナット１６が螺合されることにより、ナット１６と頭部、即ちボルト取付部材２０７、との間にＬＡ端子５の相手側接続部５１及び接続部２８２を挟持する。
【０００８】
上記ボルト取付部材２０７は、合成樹脂で構成され、ブロック状に形成されている。ボルト取付部材２０７のボルト２０９が突出した外表面には、接続部２８２及びＬＡ端子５の相手側接続部５１が重ねられる。また、ボルト取付部材２０７は、電気接続箱のケースに取り付けられて、前記ケースの上面に位置付けられる。
【０００９】
上述した接続ユニット２１０は、電気接続箱のケースに取り付けられた後に、前記ケース内に引き込まれた電源線６ａのＬＡ端子５と電気接続される。
【先行技術文献】
【特許文献】
【００１０】
【特許文献１】特開２００２−７８１５２号公報
【発明の概要】
【発明が解決しようとする課題】
【００１１】
しかしながら、図５に示した接続ユニット２１０を備えた従来の電気接続箱においては、前記ケース内に引き込まれた電源線６ａの長さ寸法に誤差が生じている場合に、ＬＡ端子５の位置とボルト２０９の位置とが合わず、ＬＡ端子５をボルト２０９で固定できないことがあるという問題があった。
【００１２】
なお、前記ケース内に引き込まれた電源線６ａの長さ寸法に誤差が生じる原因としては、例えば、前記ケースを防水するために電源線６ａに装着されるグロメットの装着位置のずれ等が挙げられる。前記グロメットは、電源線６ａの外周に装着された状態で前記ケースに設けられた電線通し口に取り付けられて、前記電線通し口の縁と電源線６ａとの間の隙間を塞ぐ部材である。このグロメットは、電源線６ａに密着しているため、簡単にはずらすことができない。
【００１３】
したがって、本発明は、ケース内に引き込まれた電線の長さ寸法に誤差が生じている場合でも、前記電線に接続された端子をケースに取り付けられたボルトで確実に固定することができる電気接続箱を提供することを目的とする。
【課題を解決するための手段】
【００１４】
上記目的を達成するために請求項１に記載された発明は、ケースと、該ケース内に引き込まれた電線を前記ケースに固定する固定部材と、前記ケース内に引き込まれた前記電線の端末に接続された端子と電気接続される接続ユニットと、を備えた電気接続箱において、前記接続ユニットが、前記端子が重ねられる金属板と、ナットが螺合されることにより該ナットとの間に前記端子及び前記金属板を挟持するボルトと、前記金属板の面に沿ってスライド自在となるように前記ボルトを取り付けたボルト取付部材と、を備えていることを特徴とする電気接続箱である。
【００１５】
請求項２に記載された発明は、前記ボルト取付部材が、前記電線の長手方向に沿ってスライド自在となるように前記ボルトを取り付けていることを特徴とするものである。
【００１６】
請求項３に記載された発明は、請求項２に記載された発明において、前記ボルト取付部材が、その表面に前記ボルトの頭部を位置付ける底板と、前記底板と相対する天板であって、前記電線の長手方向に沿って延びたスリットが設けられ、該スリット内に前記ボルトの軸部をスライド自在に位置付けるとともに前記底板との間に前記頭部をスライド自在に収容する天板と、を備えていることを特徴とするものである。
【００１７】
請求項４に記載された発明は、請求項３に記載された発明において、前記金属板が前記天板の外表面に重ねられ、かつ、前記金属板に、前記軸部をスライド自在に位置付ける第２のスリットが設けられていることを特徴とするものである。
【００１８】
請求項５に記載された発明は、請求項３または請求項４に記載された発明において、前記スリットが、前記天板の一つの縁から前記電線の長手方向に沿って凹に形成されて設けられ、かつ、前記ボルトが、前記天板の前記一つの縁側からスライドされることにより、前記軸部が前記スリット内に位置付けられるとともに前記頭部が前記底板と前記天板との間に収容されて、前記ボルト取付部材に取り付けられることを特徴とするものである。
【００１９】
請求項６に記載された発明は、請求項１ないし請求項５のうち１項に記載された発明において、前記固定部材が、前記電線の外周に装着され、前記ケースに設けられた電線通し口に取り付けられるグロメットであることを特徴とするものである。
【発明の効果】
【００２０】
請求項１に記載された発明によれば、前記接続ユニットが、前記端子が重ねられる金属板と、ナットが螺合されることにより該ナットとの間に前記端子及び前記金属板を挟持するボルトと、前記金属板の面に沿ってスライド自在となるように前記ボルトを取り付けたボルト取付部材と、を備えているので、ケース内に引き込まれた前記電線の長さ寸法に誤差が生じている場合でも、前記電線の端末に接続された前記端子の位置に合わせて前記ボルトをスライドさせることができ、そのために、前記端子を前記ボルトで確実に固定することができる電気接続箱を提供することができる。
【００２１】
請求項２に記載された発明によれば、前記ボルト取付部材が、前記電線の長手方向に沿ってスライド自在となるように前記ボルトを取り付けているので、ケース内に引き込まれた前記電線の長さ寸法に誤差が生じている場合でも、前記電線の端末に接続された前記端子の位置に合わせて前記ボルトをスライドさせることができ、そのために、前記端子を前記ボルトで確実に固定することができる電気接続箱を提供することができる。
【００２２】
請求項３に記載された発明によれば、前記ボルト取付部材が、その表面に前記ボルトの頭部を位置付ける底板と、前記底板と相対する天板であって、前記電線の長手方向に沿って延びたスリットが設けられ、該スリット内に前記ボルトの軸部をスライド自在に位置付けるとともに前記底板との間に前記頭部をスライド自在に収容する天板と、を備えているので、簡単な構成で、前記端子を前記ボルトで確実に固定することができる電気接続箱を提供することができる。
【００２３】
請求項４に記載された発明によれば、前記金属板が前記天板の外表面に重ねられ、かつ、前記金属板に、前記軸部をスライド自在に位置付ける第２のスリットが設けられているので、簡単な構成で、前記端子を前記ボルトで確実に固定することができる電気接続箱を提供することができる。
【００２４】
請求項５に記載された発明によれば、前記スリットが、前記天板の一つの縁から前記電線の長手方向に沿って凹に形成されて設けられ、かつ、前記ボルトが、前記天板の前記一つの縁側からスライドされることにより、前記軸部が前記スリット内に位置付けられるとともに前記頭部が前記底板と前記天板との間に収容されて、前記ボルト取付部材に取り付けられるので、インサート成型等を行わずに前記ボルトを前記ボルト取付部材に取り付けることができ、そのために、前記ボルトをスライド自在な構成とすることができる。
【００２５】
請求項６に記載された発明によれば、前記固定部材が、前記電線の外周に装着され、前記ケースに設けられた電線通し口に取り付けられるグロメットであるので、前記電線における前記グロメットの装着位置のずれによって前記ケース内に引き込まれた前記電線の長さ寸法に誤差が生じている場合でも、前記端子を前記ボルトで確実に固定することができる防水性能の高い電気接続箱を提供することができる。
【図面の簡単な説明】
【００２６】
【図１】本発明の一実施形態にかかる電気接続箱を示す斜視図である。
【図２】図１に示された電気接続箱の要部を拡大して示す斜視図である。
【図３】図１に示された電気接続箱の接続ユニットを示す斜視図である。
【図４】図３に示された接続ユニットの分解図である。
【図５】従来の電気接続箱を構成する接続ユニットを示す斜視図である。
【発明を実施するための形態】
【００２７】
本発明の一実施の形態にかかる電気接続箱１を図１〜図４を参照して説明する。本発明の電気接続箱１は、自動車に搭載され、前記自動車に搭載された電子機器に対して電力供給及び信号伝達を行うものである。また、本実施形態の電気接続箱１は、トラックにおけるキャビンと荷台の間の、雨や雪が当たる部分に取り付けられる。
【００２８】
また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００２９】
上記電気接続箱１は、図１に示すように、ケース３と、このケース３の開口部３ａを覆うカバー（不図示）と、ケース３内に取り付けられ、各種部品を取り付けるカセットブロック２と、このカセットブロック２に取り付けられる、リレー、ヒューズ、ヒュージブルリンク、コネクタ等の複数の電気部品１８と、カセットブロック２に取り付けられる複数のバスバ８と、ケース３内に引き込まれた電源線６ａ，６ｂをケース３に固定し、かつ、ケース３を防水するグロメット１３と、ケース３を防水するグロメット１２と、ケース３内に引き込まれた電源線６ａ，６ｂの端末に接続されたＬＡ端子５と電気接続される接続ユニット１０と、を備えている。
【００３０】
また、図１、図２中の矢印Ｙは、ケース３の深さ方向を示しており、矢印Ｘは、ケース３の長手方向を示しており、矢印Ｚは、ケース３の幅方向を示している。
【００３１】
上記ケース３は、合成樹脂で構成され、底壁と、この底壁の外縁から立設した複数の側壁３１，３２，３３，３４と、により箱状に形成されている。即ち、前記「開口部３ａ」とは、複数の側壁３１，３２，３３，３４の底壁から離れた側の縁に囲まれる空間を意味する。また、側壁３１には、ケース３内にワイヤハーネスの電線（不図示）を引き込むための電線通し口１４と、ケース３内に電源線６ａ，６ｂを引き込むための電線通し口１５と、が設けられている。これら電線通し口１４，１５は、側壁３１の底壁から離れた側の縁から底壁側に凹に形成されて設けられている。
【００３２】
上記バスバ８は、図３に示すように、金属板にプレス加工等が施されて得られる配線部材である。このバスバ８は、複数の電気部品１８や電源線６ａ，６ｂに接続されたＬＡ端子５同士を予め定められたパターンにしたがって互いに電気接続する。また、図３中の符号８１は、バスバ８のうち、カセットブロック２の内部に収容される収容部を示しており、符号８２は、ＬＡ端子５が重ねられる接続部を示している。この接続部８２については後述する。また、接続部８２は、特許請求の範囲に記載した「金属板」に相当する。
【００３３】
上記電源線６ａ，６ｂは、トラックに搭載されたバッテリやオルタネータなどに接続され、大電流が流される太物の電線である。これら電源線６ａ，６ｂは、図３に示すように、芯線６１と、芯線６１を被覆した絶縁被覆６２と、を備えている。また、本実施形態では、電源線６ａがバッテリに接続され、電源線６ｂがオルタネータに接続される。また、電源線６ａ，６ｂは、特許請求の範囲に記載した「電線」に相当する。
【００３４】
上記ＬＡ端子５は、厚手の金属板にプレス加工等が施されて得られる端子であり、図３に示すように、電源線６ａ，６ｂの芯線６１を圧着する一対の圧着片５３と、絶縁被覆６２をかしめる一対のかしめ片５４と、前記接続部８２に重ねられて接続部８２に電気接続される相手側接続部５１と、を備えている。この相手側接続部５１は、平らな板状に形成され、その中央部に貫通穴５２が設けられている。また、ＬＡ端子５は、特許請求の範囲に記載した「端子」に相当する。
【００３５】
上記グロメット１３は、ゴム等の弾性材料で構成されている。図２に示すように、グロメット１３は、円筒状に形成され、その内側に電源線６ａ，６ｂを位置付ける円筒部１３ａと、この円筒部１３ａの軸方向の一端部から鍔状に延びた鍔部１３ｂと、を備えている。このようなグロメット１３は、円筒部１３ａ内に電源線６ａ，６ｂを位置付けた状態で、前記電線通し口１５に取り付けられて、電線通し口１５の縁と電源線６ａ，６ｂとの間の隙間を塞ぐ。このことにより、ケース３が防水される。
【００３６】
また、グロメット１３が電源線６ａ，６ｂの外周に装着されると、グロメット１３と電源線６ａ，６ｂとがずれないように、また、グロメット１３と電源線６ａ，６ｂとの間から水が浸入しないように、円筒部１３ａの軸方向の他端部と電源線６ａ，６ｂとに粘着テープ１７が巻かれる。
【００３７】
このようなグロメット１３が前記電線通し口１５に取り付けられることにより、ケース３内に引き込まれた電源線６ａ，６ｂがケース３に固定される。また、グロメット１３は、特許請求の範囲に記載した「固定部材」に相当する。
【００３８】
上記グロメット１２は、前記電線通し口１４に取り付けられてケース３を防水するためのものである。グロメット１２は、図１に示すように、蛇腹筒状に形成されており、その内側に前記ワイヤハーネスの電線を通す。
【００３９】
上記接続ユニット１０は、図３に示すように、電源線６ａ，６ｂの端末に接続されたＬＡ端子５が重ねられる平板状の接続部８２と、ナット１６が螺合されることにより該ナット１６との間にＬＡ端子５の相手側接続部５１及び接続部８２を挟持するボルト９と、電源線６ａ，６ｂの長手方向に沿って、即ち接続部８２の面に沿って、スライド自在となるようにボルト９を取り付けたボルト取付部材７と、を備えている。
【００４０】
また、本発明において、「電源線６ａ，６ｂの長手方向に沿って」とは、電源線６ａ，６ｂの電線通し口１５からケース３内に引き込まれた部分の長手方向を意味する。また、本実施形態では、側壁３１に垂直な方向、即ち図１中の矢印Ｚ方向と平行な方向、が、この「電源線６ａ，６ｂの長手方向」となる。
【００４１】
上記ボルト９は、図４に示すように、略正方形の板状に形成された頭部９３と、この頭部９３の表面から立設した軸部９１と、円部９２と、を備えている。前記軸部９１は、円柱状に形成され外周面に螺旋状の溝が切られた雄ねじである。前記円部９２は、軸部９１の頭部９３側の端部に設けられ、この軸部９１の外周に円環状に設けられている。また、円部９２の内周面は軸部９１の外周面に連なっており、円部９２の頭部９３側の端面は、頭部９３の表面に連なっている。また、円部９２の直径は、頭部９３の一辺の寸法よりも小さく形成されている。また、頭部９３と円部９２と軸部９１とは互いに同軸上に配置されている。
【００４２】
上記ボルト取付部材７は、合成樹脂で構成されている。図４に示すように、ボルト取付部材７は、長方形の板状に形成され、その表面にボルト９の頭部９３を位置付ける底板７１と、長方形の板状に形成され、底板７１と相対し、底板７１との間に頭部９３をスライド自在に収容する天板７３と、底板７１の長辺をなす縁と天板７３の長辺をなす縁とを連結した一対の連結板７２と、一対の突起７５と、を一体に備えている。また、一対の連結板７２間の間隔は、頭部９３の一辺の寸法よりも大きく形成されている。
【００４３】
また、上記天板７３には、当該天板７３の長手方向に沿って延び、その内側にボルト９の軸部９１及び円部９２をスライド自在に位置付けるスリット７４が設けられている。このスリット７４は、天板７３の短辺をなす一つの縁７３ａから該天板７３の長手方向に沿って凹に形成されて設けられている。また、スリット７４の長さは、頭部９３の一辺の寸法よりも大きく形成されている。また、スリット７４の幅は、円部９２の直径と等しく形成され、頭部９３の一辺の寸法よりも小さく形成されている。
【００４４】
上記一対の突起７５は、スリット７４の縁の互いに相対する部分から互いに近付く方向に突出している。また、一対の突起７５は、天板７３の短辺をなす前記一つの縁７３ａの近傍に設けられている。また、一対の突起７５間の間隔は、円部９２の直径よりも若干小さく形成されている。
【００４５】
また、ボルト９は、天板７３の前記一つの縁７３ａ側からスライドされることにより、軸部９１及び円部９２がスリット７４内に位置付けられるとともに頭部９３が底板７１と天板７３との間に収容されて、ボルト取付部材７に取り付けられる。また、ボルト９がボルト取付部材７に取り付けられる際、円部９２は、一対の突起７５に当接してこれら一対の突起７５間の間隔を広げるようにボルト取付部材７を一時的に弾性変形させて、スリット７４内に進入する。また、一対の突起７５は、軸部９１及び円部９２が一対の突起７５間を通ってスリット７４内に進入した後に弾性変形する前の位置に戻って、軸部９１及び円部９２が天板７３の前記一つの縁７３ａ側に移動すること、即ちボルト９がボルト取付部材７から外れること、を規制する。
【００４６】
このように、本発明では、ボルト取付部材７を上述した構成としたことにより、インサート成型等を行わずにボルト９をボルト取付部材７に取り付けることができ、そのために、ボルト９をスライド自在な構成とすることができる。
【００４７】
上記接続部８２は、前述したように、バスバ８の一部を構成している。また、接続部８２は、バスバ８の収容部８１と直交する向きとなるように、その端部が折り曲げられている。このような接続部８２は、図３に示すように、ボルト９が取り付けられた状態のボルト取付部材７の天板７３の外表面に重ねられる。さらに、この接続部８２には、その内側に軸部９１をスライド自在に位置付ける第２のスリット８３が設けられている。
【００４８】
上記構成の接続ユニット１０は、ボルト９がボルト取付部材７に取り付けられた後に接続部８２が天板７３に重ねられて組み立てられ、バスバ８と共にカセットブロック２に取り付けられる。また、接続ユニット１０は、カセットブロック２がケース３内に取り付けられることにより、ケース３の上面に位置付けられる。また、接続ユニット１０は、スリット７４及び第２のスリット８３の長手方向、即ちボルト９のスライド方向、が矢印Ｚ方向と平行になる向きでケース３の上面に位置付けられる。また、前記「ケース３の上面」とは、ケース３の底壁から離れた開口部３ａ側の仮想面を意味する。
【００４９】
続いて、前述した構成の電気接続箱１の組み立て方法を説明する。まず、予め、電源線６ａ，６ｂの外周の所定の装着位置にグロメット１３を装着しておき、粘着テープ１７を巻いて円筒部１３ａと電源線６ａ，６ｂとを固定しておく。
【００５０】
次に、前述した手順で組立てられた接続ユニット１０、複数のバスバ８、複数の電気部品１８、をカセットブロック２に取り付ける。そして、このカセットブロック２をケース３に取り付ける。
【００５１】
次に、内側にワイヤハーネスの電線が通されたグロメット１２をケース３の電線通し口１４に取り付ける。また、電源線６ａ，６ｂに装着されたグロメット１３をケース３の電線通し口１５に取り付けて電源線６ａ，６ｂをケース３に固定するとともに、これら電源線６ａ，６ｂをケース３内に引き込む。
【００５２】
次に、電源線６ａ，６ｂの端末に接続されたＬＡ端子５の相手側接続部５１を接続部８２に重ねるとともに貫通穴５２にボルト９の軸部９１を通す。この際、ＬＡ端子５の貫通穴５２の位置に合わせてボルト９をスライドさせることで、貫通穴５２にボルト９の軸部９１を通す作業を容易に行うことができる。
【００５３】
即ち、ケース３内に引き込まれた電源線６ａ，６ｂの長さ寸法にプラスの公差が生じている場合は、図３中の矢印Ｎ１方向（即ち側壁３１から離れる方向）にボルト９をスライドさせて、軸部９１の位置をＬＡ端子５の貫通穴５２の位置に合わせる。これと反対に、ケース３内に引き込まれた電源線６ａ，６ｂの長さ寸法にマイナスの公差が生じている場合は、図３中の矢印Ｎ２方向（即ち側壁３１に近付く方向）にボルト９をスライドさせて、軸部９１の位置をＬＡ端子５の貫通穴５２の位置に合わせる。
【００５４】
次に、接続部８２の第２のスリット８３とＬＡ端子５の貫通穴５２とを通された軸部９１にナット１６を螺合させて、該ナット１６と円部９２との間にＬＡ端子５の相手側接続部５１及び接続部８２を挟持する。これにより、ＬＡ端子５と接続部８２とが電気接続される。
【００５５】
最後に、開口部３ａを覆うようにケース３にカバーを取り付けて、電気接続箱１の組み立て作業が完了する。
【００５６】
このように、本発明によれば、上述した簡素な構成の接続ユニット１０を備えていることにより、電源線６ａ，６ｂにおけるグロメット１３の装着位置のずれ等によってケース３内に引き込まれた前記電源線６ａ，６ｂの長さ寸法に誤差が生じている場合でも、ＬＡ端子５をボルト９で確実に固定することができ、さらに、車両の雨や雪が当たる部分に取り付けが可能な防水性能の高い電気接続箱１を提供することができる。
【００５７】
また、上述した実施形態では、ボルト９が、電源線６ａ，６ｂの長手方向、即ち矢印Ｚ方向、に沿ってスライド自在となるようにボルト取付部材７に取り付けられていたが、本発明では、電源線６ａ，６ｂの長手方向だけに限らず、ボルト９が接続部８２の面に沿ってスライド自在となるようにボルト取付部材に取り付けられていれば良い。即ち、ボルト９は、矢印Ｙと直交する方向であれば如何なる方向にスライド自在とされていても良い。例えば、ボルト９が矢印Ｘ方向に沿ってスライド自在となるようにボルト取付部材に取り付けられていても良い。
【００５８】
また、上述した実施形態では、電線通し口１５と接続ユニット１０とが矢印Ｚ方向に沿って並ぶ位置に配置され、電線通し口１５からケース３内に引き込まれた電源線６ａ，６ｂが接続ユニット１０に向かって矢印Ｚ方向に配索されていたが、本発明では、電線通し口１５と接続ユニット１０とが矢印Ｚと交差する方向に沿って並ぶ位置に配置され、電線通し口１５からケース３内に引き込まれた電源線６ａ，６ｂが接続ユニット１０に向かって矢印Ｚと交差する方向に配索されていても良い。その場合、ボルト９は矢印Ｚ方向に沿ってスライド自在とされていても良いし、前記電源線６ａ，６ｂの長手方向、即ち矢印Ｚと交差する方向、に沿ってスライド自在とされていても良い。
【００５９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６０】
１  電気接続箱
３  ケース
５  ＬＡ端子（端子）
６ａ，６ｂ  電源線（電線）
７  ボルト取付部材
９  ボルト
１０  接続ユニット
１３  グロメット（固定部材）
１６  ナット
８２  接続部（金属板）
【図１】
2011234427.tif 000003
【図２】
2011234427.tif 000004
【図３】
2011234427.tif 000005
【図４】
2011234427.tif 000006
【図５】
2011234427.tif 000007